(57)【要約】【課題】本発明はスピーカおよびこれを用いたスピーカ装置に関し、スピーカにおけるさらなる高調波歪みの低減を目的とする。【解決手段】スピーカを構成する部品の中で特に高調波歪みを低減するために設けられる支持体６において、その外周形状を矩形状あるいはトラック状とするとともに、この外周形状における直線部と直線部の接続部分あるいは直線部とコーナー部の接続部分に対応する第２のエッジ７の領域にスリット１０を設けた構成とした。【選択図】図３
2007096620.tif 000002
【特許請求の範囲】
【請求項１】
フレームと、このフレームに支持された磁気回路と、この磁気回路に設けられた磁気ギャップに対して摺動可能に配置されたボイスコイル体と、外周端部が前記フレームに第１のエッジを介して接続され内周端部が前記ボイスコイル体に接続された振動板と、外周端部が第２のエッジを介して前記フレームに接続され内周端部が前記ボイスコイル体に対して直接的あるいは間接的に接続された支持体とを備え、前記第２のエッジは前記第１のエッジとロール方向において対称性を有し、前記支持体の外周形状を矩形状あるいはトラック状とするとともに、この外周形状における直線部と直線部の接続部分あるいは直線部とコーナー部の接続部分に対応する前記第２のエッジ領域にスリットを設けたことを特徴とするスピーカ。
【請求項２】
支持体の外周形状を矩形状とし、直線部と直線部の接続部分における重なり領域を切り欠いて、この切り欠き部をスリットして用いたことを特徴とする請求項１に記載のスピーカ。
【請求項３】
支持体の外周形状をトラック状とし、このトラック形状のコーナー部に別途第２のスリットを設けるとともに、前記第２のスリットを前記コーナー部の曲率中心に向けて設けたことを特徴とする請求項１に記載のスピーカ。
【請求項４】
第２のエッジはスリットを境として隣り合う部分でロール方向を異ならせたことを特徴とする請求項１に記載のスピーカ。
【請求項５】
本体と、この本体に取り付けられた音響装置とからなり、前記音響装置は音声信号生成部と、これにより生成された音声信号を音響変換するスピーカとを備え、前記スピーカはフレームと、このフレームに支持された磁気回路と、この磁気回路に設けられた磁気ギャップに対して摺動可能に配置されたボイスコイル体と、外周端部が前記フレームに第１のエッジを介して接続され内周端部が前記ボイスコイル体に接続された振動板と、外周端部が第２のエッジを介して前記フレームに接続され内周端部が前記ボイスコイル体に対して直接的あるいは間接的に接続された支持体とを備え、前記第２のエッジは前記第１のエッジとロール方向において対称性を有し、前記支持体の外周形状を矩形状あるいはトラック状とするとともに、この外周形状における直線部と直線部の接続部分あるいは直線部とコーナー部の接続部分に対応する前記第２のエッジ領域にスリットを設けたことを特徴とする構造体。
【発明の詳細な説明】
【技術分野】
【０００１】
本発明は、スピーカおよびこれを用いた構造体に関するものである。
【背景技術】
【０００２】
従来のスピーカは図１に示されるよう、磁気回路１に摺動可能に配置されたボイスコイル体２を振動板３の内周端に接続し、振動板３の外周端をエッジ４を介してフレーム５に接続し、さらにこの振動板３の裏面を支持体６とエッジ７を介してフレーム５に接続した構造であり、エッジ４，７のロール方向の対称性によって振動板３の上下振幅における直線性を上下対称にすることで、スピーカにおける高調波歪みを低減させることが知られている。
【０００３】
なお、この出願の発明に関する先行技術文献情報としては、例えば、特許文献１が知られている。
【特許文献１】特開２００４−７３３２号公報
【発明の開示】
【発明が解決しようとする課題】
【０００４】
しかしながら、このようなスピーカを映像機器等に搭載する場合においては、モニタ画面の側方に取り付けるなどの取り付け環境にともなう形状制約があり、外周形状が矩形状やトラック状のスピーカが要求され、このような形状においては、矩形状であれば辺と辺の接続部分に、トラック状であれば辺と曲線との接続部分においてスピーカの高調波歪みを抑制するために設けられたエッジ７の撓み剛性が高くなってしまい、所期の目的である高調波歪みの低減を十分に向上させることが困難なものとなっていた。
【０００５】
そこで、本発明はこのような問題を解決し、スピーカにおいてさらなる高調波歪みの低減を目的とする。
【課題を解決するための手段】
【０００６】
そして、この目的を達成するために本発明は、スピーカを構成する部品の中で特に高調波歪みを低減するために設けられる支持体において、その外周形状を矩形状あるいはトラック状とするとともに、この外周形状における直線部と直線部の接続部分あるいは直線部とコーナー部の接続部分に対応するエッジ領域にスリットを設けた構成とする。
【発明の効果】
【０００７】
この構成により、ロール方向の対称性によって上下振幅における直線性を上下対称にすることに加え、第２のエッジの撓み剛性が高い部分にスリットを設けることで、スピーカにおける高調波歪みをより低減することができる。
【発明を実施するための最良の形態】
【０００８】
以下、本発明の一実施形態について図を用いて説明する。なお、背景技術として上述した構成と同様の構成については同じ符号を付して説明する。
【０００９】
図１は本発明のスピーカを示す断面図であり、フレーム５の底部中央に配置された磁気回路１は、マグネット１ａ、プレート１ｂ、ヨーク１ｃを組み合わせて接着することにより形成され、ヨーク１ｃの側壁部分の内周側面とマグネット１ａおよびプレート１ｂの外周側面により磁気回路１における上面側に向けて開口した磁気ギャップ８が形成されている。
【００１０】
また、ボイスコイル体２は筒状の本体の外周部にコイル２ａが巻き付けられた構造であり、磁気ギャップ８に対して上下方向に摺動可能に配置されたもので、ボイスコイル体２の上部外周部分に接続された振動板３を振動させる構造となっている。なお、ボイスコイル体２の上端部分には防塵対策としてのダストキャップ９が設けられている。
【００１１】
振動板３はその外周端部分がエッジ４を介してフレーム５の開口端部分に接続され、内周端部分がボイスコイル体２に支持されている。
【００１２】
支持体６は、外周端部がエッジ７を介してフレーム５の底面側に接続され、他端側が振動板３の内周端部の裏面に接着により一体化された構造となっている。なお、支持体６の内周端部分にはボイスコイル体２の外周側面に沿うように下方に曲げられたネック６ａが設けられ、このネック部分でボイスコイル体２に接続固定した構造となっている。
【００１３】
そして、フレーム５に接続されたエッジ４，７により囲まれた破線領域の内部に、ボイスコイル体２を摺動させる力点となるボイスコイル体２と振動板３および支持体６の接続点を存在させることで、振動板３と支持体６及びボイスコイル体２が一つの剛体と見なされるようになり、ボイスコイル体２のローリングを抑制でき、振動板３に生じる高調波成分を減衰させる構造としている。
【００１４】
また、このスピーカはモニタ画面の側方に設けるというような幅狭な領域に取付け可能なように図２に示されるごとく、スピーカの外周形状が矩形状となっており、この形状にあわせて振動板３の外周形状も矩形状となっており、この振動板３の高調波歪みを低減させるために設けられた支持体６の外周形状も図３に示されるごとく振動板３の形状に対応した矩形状となっている。
【００１５】
そして、この矩形状の支持体６においては、その外周部分に設けられたエッジ７が隣り合う辺と辺の交わる部分、言い換えると矩形状を形成する支持体６の外周部分における直線部と直線部の接続部分にスリット１０を設けた構成となっており、このスピーカの高調波歪みをより高い精度で抑制している。
【００１６】
すなわち、このように支持体６の形状を矩形状とすることによりその外周部分に形成されるエッジ７も必然的に矩形状となる。そして、このような矩形状のエッジ７においては直線部と直線部とが接する接続部分の撓み強度が他の部分に比べ大きくなってしまい、これが原因となり図１に示す振動板３の外周部分に設けられたエッジ４との対称性を保つことが困難なものとなっていたのであるが、この部分にスリット１０を設けることでその大きさや長さを適宜調節することで支持体６に設けられたエッジ７の撓み強度を適宜調節できるので、結果として振動板３に設けられたエッジ４との対称性を高い精度で確保でき、強いてはスピーカの高調波歪みを高い精度で抑制することが出来るのである。
【００１７】
また、このように隣り合う直線部の間にスリット１０を設けることで、各直線部における独立性が高まり各直線部においてロール方向つまり、図１においては振動板３に設けられたエッジ４が上方に湾曲したアップロールと定義し、支持体６に設けられたエッジ７が下方に湾曲したダウンロールと定義した場合、図３における長手方向の直線部をダウンロールとして短手方向の直線部をアップロールというように隣り合う直線部におけるエッジ７のロール方向を異ならせることで、支持体６に設けられたエッジ７の撓み強度をより細かに調節可能とできるのである。
【００１８】
なお、支持体６に設けられたエッジ７にスリット１０を設けるにあたっては、図４に示すごとく直線部と直線部の接続部分における重なり領域をすべて切り欠いて、この切り欠き部分をスリット１０として見なすことも出来るのである。
【００１９】
また、先に述べたように幅狭な領域に設けられるスピーカの外周形状としては、上述した矩形状の他にトラック状のものが挙げられ、この場合、支持体６の形状を図５に示すごとくその外周形状を振動板３の形状に対応したトラック状とすることで、その外周部分に設けられるエッジ７の形状が２本の平行な直線部とその両端部をつなぐ半円状のコーナー部で形成されることとなる。
【００２０】
そして、このような支持体６のエッジ７において先に述べたようなスピーカの高調波歪みを抑制するスリット１０を設ける場合においても、先に矩形状の支持体６で述べた、隣り合う直線部の接続部分に設けるのと同様に、コーナー部と直線部の接続部分にスリット１０を設けることで同様の作用効果を奏するのである。
【００２１】
また、このようなコーナー部においては、コーナー部の撓み強度が直線部に比べ大きくなってしまうため、先に述べたコーナー部と直線部との接続部分にスリット１０を設けるだけで十分な撓み強度の調整が困難であるため、このコーナー部においては両端部以外にも別途スリット１１を設けることが望ましい。
【００２２】
そして、このようにコーナー部の中程に設けられるスリット１０，１１においては、図に示すようにコーナー部の曲率中心１２から放射状に伸びる方向にスリット１０，１１を形成することで、コーナー部の撓み強度の調整を細かく実施することができ、スピーカの高調波歪みを高い精度で抑制できるのである。
【００２３】
なお、上述した各実施形態においては支持体６が振動板３とボイスコイル体２に接続された形態を挙げて説明したが、特に図示はしていないが支持体６が振動板３には接続されずボイスコイル体２に接続される形態であっても同様の作用効果を奏するものである。
【００２４】
また、特に図示はしていないが、オーディオシステムや携帯電話あるいは自動車や船舶や住宅などの構造体において、この構造体を形成する本体に音響装置を取り付けた構造であって、音響装置が音声信号生成部とこれにより生成された音声信号を音響変換するスピーカを備えるような場合、上述したようなスピーカを用いることで高調波歪みがより高いレベルで低減され構造体の音響特性が向上し、結果として構造体の付加価値を向上させることが出来るのである。
【産業上の利用可能性】
【００２５】
本発明は、外周形状が矩形状あるいはトラック状のスピーカおよびこれを用いた構造体において、スピーカにおけるさらなる高調波歪みを低減させることができ、特に幅狭な領域に設けられるスピーカに有用である。
【図面の簡単な説明】
【００２６】
【図１】本発明の一実施形態におけるスピーカの断面図
【図２】同スピーカの上面図
【図３】同スピーカを構成する支持体の上面図
【図４】同スピーカを構成する他の支持体の上面図
【図５】同スピーカを構成するさらに他の支持体の上面図
【符号の説明】
【００２７】
１  磁気回路
２  ボイスコイル体
３  振動板
４  （第１の）エッジ
５  フレーム
６  支持体
７  （第２の）エッジ
８  磁気ギャップ
１０，１１  スリット
１２  曲率中心
【図１】
2007096620.tif 000003
【図２】
2007096620.tif 000004
【図３】
2007096620.tif 000005
【図４】
2007096620.tif 000006
【図５】
2007096620.tif 000007